(57)【要約】【課題】本考案は、組立が簡単になり、固持部材と絶縁性本体の間の連接が安定である電気コネクタを提供することを目的とする。【解決手段】本考案の相手方向に沿って相手プラグと電気接続する電気コネクタは、第１係止部片が設けられ、挿入溝が形成される絶縁性本体と、絶縁性本体の挿入溝に装着される光素子と、絶縁性本体に回転可能に実装される回転部材と、回転部材を駆動する弾力部材と、固持部材とを備える。前記固持部材は、光素子に当接する基部と、基部から第１係止部片に向かって突伸する弾力部とを含む。前記固持部材の弾力部には、前記絶縁性本体の第１係止部片と係合する第２係止部片が設けられる。【選択図】図４
0003147585.tif 000002
【実用新案登録請求の範囲】
【請求項１】
嵌合方向に沿って相手プラグと電気接続する電気コネクタであって、
第１係止部片が設けられ、挿入溝が形成される絶縁性本体と、
該絶縁性本体の挿入溝に装着される光素子と、
該絶縁性本体に回転可能に実装される回転部材と、
該回転部材を駆動する弾力部材と、
前記光素子に当接する基部と、該基部から第１係止部片に向かって突出する弾力部とを含む固持部材と、
を備え、前記固持部材の弾力部には、前記絶縁性本体の第１係止部片と係合する第２係止部片が設けられることを特徴とする電気コネクタ。
【請求項２】
前記絶縁性本体の第１係止部片には、前記固持部材の第２係止部片を導入ための導入面が設けられ、
前記第２係止部片には、前記導入面と対応する傾斜面が設けられることを特徴とする請求項１に記載の電気コネクタ。
【請求項３】
前記絶縁性本体には、側部から内向きに延在する第２係止部が設けられ、前記固持部材には、前記第２係止部と係合する第１係止部が設けられることを特徴とする請求項１に記載の電気コネクタ。
【請求項４】
前記光素子は、主体部と、該主体部から延在する複数の連接端子とを有し、前記連接端子が延在部と尾部とを具備し、前記絶縁性本体には、前記光素子の尾部を収納ための複数のスロットが形成され、前記固持部材には、前記スロットに挿入されて前記光素子の尾部を押圧して該尾部を位置決めする嵌合部が配置されることを特徴とする請求項１に記載の電気コネクタ。
【請求項５】
前記光素子の尾部が、前記延在部から嵌合方向に沿って延在し、前記固持部材が前記基部から嵌合方向に沿って延在する当接壁を有し、前記嵌合部が前記当接壁から前記スロットに向かった突出することを特徴とする請求項４に記載の電気コネクタ。
【請求項６】
前記絶縁性本体は、本体部と、該本体部から相手方向に向かって突出して挿入孔が形成される相手部とを備えることを特徴とする請求項１に記載の電気コネクタ。
【請求項７】
前記絶縁性本体には前記固持部材を収納するための収納スペースが形成され、前記収納スペースと前記挿入孔との間には阻隔板が設けられ、前記挿入溝が前記収納スペースから凹んで形成され、前記阻隔板には、前記挿入溝に向かって突出して光素子を固持するためのフランジが設けられることを特徴とする請求項６に記載の電気コネクタ。
【請求項８】
前記絶縁性本体には前記挿入孔を貫通する凹所が形成され、前記回転部材が前記凹所を越して挿入孔に収納されることを特徴とする請求項６に記載の電気コネクタ。
【請求項９】
前記固持部材は、前記弾力部の上に配置される天壁と、該天壁から延在する延在ビームとを有し、前記天壁が前記凹所に収納され、前記延在ビームが前記凹所に形成される定位溝に位置決めされ、前記回転部材は、固持部材と絶縁性本体との間の係合によって、絶縁性本体に制限されることを特徴とする請求項８に記載の電気コネクタ。
【請求項１０】
前記電気コネクタは前記絶縁性本体を被覆する遮蔽部材を有し、前記遮蔽部材が前記絶縁性本体から延出する第１および第２固持ビームを含み、前記第１固持ビームには、湾曲した折曲部が設けられ、前記第２固持ビームの外側には、細長い突出部が設けられることを特徴とする請求項１に記載の電気コネクタ。
【考案の詳細な説明】
【技術分野】
【０００１】
本考案は、相手プラグと電気接続し、固持部材を含む電気コネクタに関するものである。
【背景技術】
【０００２】
従来技術の電気コネクタは、絶縁性本体と、絶縁性本体の前端に固持される相手部材と、回転部材と、絶縁性本体に実装される光素子と、絶縁性本体の後端に固持される固持部材とを備える。前記固持部材が光素子の後端に装着される。絶縁性本体には複数の第１キーが形成される。固持部材には、絶縁性本体の第１キーと係合する第２キーが設けられる。前記光素子は、絶縁性本体の第１キーと固持部材の第２キーと係合することによって、絶縁性本体に固持される。
【特許文献１】中国特許第２，５５４，６４０Ｙ号明細書
【考案の開示】
【考案が解決しようとする課題】
【０００３】
前記固持部材の第２キーが絶縁性本体の第１キーと係合する。第１および第２キーの間の係合が、不安定になる。且つ、この電気コネクタの組立が複雑である。
【０００４】
そこで本考案の目的は、上述の従来技術の問題に鑑み、組立が簡単になり、固持部材と絶縁性本体の間の連接が安定である電気コネクタを提供することにある。
【課題を解決するための手段】
【０００５】
本考案の嵌合方向に沿って相手プラグと電気接続する電気コネクタは、第１係止部片が設けられ、挿入溝が形成される絶縁性本体と、絶縁性本体の挿入溝に装着される光素子と、絶縁性本体に回転可能に実装される回転部材と、回転部材を駆動する弾力部材と、固持部材とを備える。前記固持部材は、光素子に当接する基部と、基部から第１係止部片に向かって突出する弾力部とを含む。前記固持部材の弾力部には、前記絶縁性本体の第１係止部片と係合する第２係止部片が設けられる。
【考案の効果】
【０００６】
従来の技術に比較して本考案は以下の効果を有する。固持部材には弾力部が設けられる。前記弾力部には、絶縁性本体１の第１係止部片と係合する第２係止部片が設けられる。これにより、固持部材が絶縁性本体に容易に実装される。該電気コネクタが長期に使用されても、固持部材は弾力部によって絶縁性本体に固着される。
【考案を実施するための最良の形態】
【０００７】
以下、この考案の実施の形態を添付の図を参照して説明する。
【０００８】
図１〜図７を参照すると、相手方向に沿って相手プラグ２００と電気接続する電気コネクタ１００は、絶縁性本体１と、絶縁性本体１に収納される光素子２と、絶縁性本体１に回転可能に装着される回転部材４と、回転部材４に実装される弾力部材３と、絶縁性本体１に装入される固持部材５と、絶縁性本体１に被覆する遮蔽部材６とを備える。
【０００９】
図１及び図２に示すように、相手プラグ２００の側部には、一対の細長い突出部２０１と、一対の突出部２０１の下部に形成される一対の傾斜部２０３と、頂部に設けられる第１凸状部片２０２と、底部に設けられる第２凸状部片２０４とを有する。
【００１０】
図４〜図６を参照すると、絶縁性本体１は、本体部１０と、本体部１０から前向きに突出する相手部１１とを備える。相手部１１の前表面が相手プラグ２００と電気接続する相手面１１０であり、本体部１０の後表面が回路基板（図示せず）に取り付かれる取付面１０１である。本体部１０は、頂部１２と、底部１３と、側部１４とを含む。相手部１１には、相手部１１と本体部１０とを貫通する挿入孔１５が形成される。挿入孔１５の両側には、一対の凹溝１５０が形成される。一対の凹溝１５０の下には、傾斜のように延在する一対の阻止部１５１が設けられる。該一対の阻止部１５１が相手プラグ２００の傾斜部２０３と対応する。これにより、相手プラグ２００の誤挿入を防止できる。一対の阻止部１５１によって、回転部材４が外へ回転することを防止できる。挿入孔１５０の底部には、相手プラグ２００の第２凸状部片２０４と係合する係合部１５２が設けられる。
【００１１】
本体部１０の後端には、固持部材５を対応する収納スペース１６が形成される。収納スペース１６の両側には、一対の第２係止部１６０が設けられる。本体部１０の底部１３の内側面には、収納スペース１６と貫通する複数のスロット１３０が形成される。収納スペース１６と挿入孔１５の間には阻隔板１７が設けられる。阻隔板１７の後には前記収納スペース１６から凹まれる挿入溝１７０が形成される。阻隔板１７の中央には、収納スペース１６と挿入孔１５とを貫通する貫通孔１７２が形成される。阻隔板１７の両側には、挿入溝１７０に向かって突出して光素子２を固持ための一対のフランジ１７１が設けられる。阻隔板１７の上には、上向きに突出する係止部片１７３が設けられる。係止部片１７３は傾斜の導入面１７４を含む。阻隔板１７の上には、挿入孔１５と貫通する凹所１８が形成される。凹所１８の両側には、一対の固持溝１８０が形成される。本体部１０の上部には第１定位柱１９が設けられる。第１定位柱１９には、前、後表面を貫通する第１円孔１９０が形成される。
【００１２】
本体部１０の一対の側部１４には、一対の上凸状部片１４０と、一対の下凸状部片１４２と、一対の上、下凸状部片１４０，１４２の間に形成される一対の細長い導入溝１４１が形成される。
【００１３】
光素子２は、主体部２０と、主体部２０から延在する複数の連接端子２１とを具備する。連接端子２１は延在部２２と延在部２２から折曲げられた尾部２３とを含む。
【００１４】
弾力部材３は、一対のコイル部３１と、該一対のコイル部３１と連接する連接部３２と、各コイル部３１から外へ延出する当接部３３とを含む。
【００１５】
回転部材４は、回転部４１と、回転部４１と連接する回転軸４０とを有する。
【００１６】
図４、図５及び図７に示すように、固持部材５は、平板状な天壁５１を含む基部５０と、天壁５１から前向きに突出する一対の延在ビーム５２とを有する。延在ビーム５２の前端には、前向きに突出する定位部５２０が設けられる。天壁５１の下には、天壁５１と平行する弾力部５３が配置される。弾力部５３には、傾斜面５３１を含む鉤状部５３０が設けられる。基部５０の前端の両側には、側部へ突出する一対の第１係止部５００が設けられる。基部５０の後部には後向きに突出する第２定位柱５４が設けられる。第２定位柱５４の中央には、第２円孔５４０が形成される。固持部材５には、基部５０から相手方向に沿って延在する当接壁５０１が形成される。当接壁５０１には、下向きに突出する複数の嵌合部５０２が設けられる。
【００１７】
図４に示すように、遮蔽部材６は、開口６１０が形成される前壁６１と、前壁６１から折曲げられた一対の側壁６２とを有する。前壁６１には、開口６１０の上に形成される固持孔６１１が形成される。側壁６２には、複数の係合孔６２０と、内表面から内側へ突出する突出部６２１とを有する。側壁６２には、第１、第２固持ビーム６２２，６２３が後へ延在する。第１固持ビーム６２２の自由端には、湾曲されて配置される折曲部６２２０が設けられる。第２固持ビーム６２３の外側は、外側へ突出する細長い突出部６２３０が設けられる。
【００１８】
図１〜図７を参照すると、電気コネクタ１００を取り付ける時、先ず、弾力部材３が回転部材４に実装される。弾力部材３の連接部３２の部分が回転部材４の回転軸４０に装着され、連接部３２の他の部分が回転部４１の後面に当接する。弾力部材３と回転部材４とは、一緒に絶縁性本体１の凹所１８を越して相手部１１の挿入孔１５に収納される。回転部材４の回転軸４０の両端が凹所１８の固持溝１８０に固持される。弾力部材３の当接部３３が固持溝１８０の内壁を当接する。これにより、回転部材４が絶縁性本体１に回転可能に装着される。回転部材４は、弾力部材３の連接部３２の駆動によって、前へ回転して挿入孔１５の阻止部１５１に当接する。
【００１９】
光素子２は、絶縁性本体１の挿入溝１７０に収納され、連接端子２１の尾部２３が絶縁性本体１のスロット１３０に挿入される。固持部材５の基部５０が収納スペース１６に固持され、光素子２の主体部２０に当接する。光素子２は絶縁性本体１と固持部材５との間に固持される。固持部材５の天壁５１と、延在ビーム５２と、弾力部５３とは、絶縁性本体１の凹所１８に嵌合される。延在ビーム５２が固持溝１８０に挿入される。これにより、回転部材４が絶縁性本体１に回転可能に装着される。弾力部５３の鉤状部５３０が阻隔板１７の導入面１７４に沿って係止部片１７３と係合する。これにより、固持部材５が後向きに移動することを防止できる。固持部材５の第１係止部５００が収納スペース１６の第２係止部１６０と係合することによって、固持部材５が後向きに移動することを更に防止できる。固持部材５の嵌合部５０２がスロット１３０に嵌合されることによって、連接端子２１の尾部２３に押圧され、尾部２３が安定に位置決めされる。
【００２０】
最後に、遮蔽部材６は絶縁性本体１に被覆する。絶縁性本体１の相手部１１が遮蔽部材６の開口６１０から突出し、遮蔽部材６の突出部６２１が絶縁性本体１の導入溝１４１に導入される。絶縁性本体１の上凸状部片１４０が遮蔽部材６の係合孔６２０と係合する。これにより、遮蔽部材６が絶縁性本体１の外部を被覆する。第１、第２固持ビーム６２２、６２３が絶縁性本体１の取付面１０１から延出する。
【００２１】
固持部材５には弾力部５３が設けられる。前記弾力部５３には、絶縁性本体１の係止部片１７３と係合する鉤状部５３０が設けられる。これにより、固持部材５が絶縁性本体１に容易に実装される。該電気コネクタ１００が長期に使用にしても、固持部材５は弾力部５３によって絶縁性本体１に固着される。
【００２２】
以上、本考案について最良の実施の形態を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００２３】
【図１】本考案の電気コネクタと相手プラグとの斜視図である。
【図２】図１に示す電気コネクタと相手プラグとの別の斜視図である。
【図３】図１に示す電気コネクタの部分の分解斜視図である。
【図４】図１に示す電気コネクタの分解斜視図である。
【図５】図４に示す電気コネクタの別の分解斜視図である。
【図６】図４に示す絶縁性本体の斜視視図である。
【図７】図４に示す固持部材の斜視図である。
【符号の説明】
【００２４】
１  絶縁性本体
１０  本体部
１００  電気コネクタ
１０１  取付面
１１  相手部
１１０  相手面
１２  頂部
１３  底部
１３０  スロット
１４  側部
１４０  上凸状部片
１４１  導入溝
１４２  下凸状部片
１５  挿入孔
１５０  凹溝
１５１  阻止部
１５２  係合部
１６  収納スペース
１６０  第２係止部
１７  阻隔板
１７０  挿入溝
１７１  フランジ
１７２  貫通孔
１７３  係止部片
１７４  導入面
１８  凹所
１８０  固持溝
１９  第１定位柱
１９０  第１円孔
２  光素子
２０  主体部
２００  相手プラグ
２０１  突出部
２０２  第１凸状部片
２０３  傾斜部
２０４  第２凸状部片
２１  連接端子
２２  延在部
２３  尾部
３  弾力部材
３１  コイル部
３２  連接部
３３  当接部
４  回転部材
４０  回転軸
４１  回転部
５  固持部材
５０  基部
５００  第１係止部
５０１  当接壁
５０２  嵌合部
５１  天壁
５２  延在ビーム
５２０  定位部
５３  弾力部
５３０  鉤状部
５３１  傾斜面
５４  第２定位柱
５４０  第２円孔
６  遮蔽部材
６１  前壁
６１０  開口
６１１  固持孔
６２  側壁
６２０  係合孔
６２１  突出部
６２２  第１固持ビーム
６２２０  折曲部
６２３  第２固持ビーム
６２３０  突出部  
【図１】
0003147585.tif 000003
【図２】
0003147585.tif 000004
【図３】
0003147585.tif 000005
【図４】
0003147585.tif 000006
【図５】
0003147585.tif 000007
【図６】
0003147585.tif 000008
【図７】
0003147585.tif 000009